(57)【要約】【課題】消融雪用の水や灌漑用の水を散水する散水装置及び散水ブロックに関し、簡単な構造及び作業で、必要なときに必要な箇所に所望の薬剤を添加した水を散水できる上記装置を得る。【解決手段】散水装置の水路３から各散水ノズル１５へと枝分れした分岐路５の途中、特に好ましくは散水ノズル１５の直近の位置に、開閉蓋１４を備えた空所１２を設ける。散水される水に薬剤を添加しないときは、空所１２には何も入れない。薬剤を混入するときは、空所１２内に所望の薬剤を充填して散水を行う。散水中の水垢や錆を除去するときは、空所１２にフィルタを挿入する。空所１２に充填するフィルタや薬剤の種類を異ならせることができるので、各散水区域ごとに異なる種類の薬剤を添加したり、一部の散水区域にのみ薬剤を添加するなどの処理も可能である。【選択図】      図２
2005016018.tif 000002
【特許請求の範囲】
【請求項１】
水路（３）の延在方向に所定間隔を隔てて配置された複数の散水ノズル（１５）を備えた散水装置において、前記水路と散水ノズルとの間に開閉蓋（１４）を備えた空所（１２）が設けられている、散水装置。
【請求項２】
散水ノズル（１５）が前記開閉蓋ないしその周縁に設けられている、請求項１記載の散水装置。
【請求項３】
長手方向に貫通する水路（３）と、この水路から分岐する分岐路（５）と、この分岐路先端の散水ノズル（１５）とを備えた散水ブロックにおいて、前記分岐路に上面がブロック上面に開口する空所（１２）が形成され、この空所を密閉する開閉蓋（１４）を備えている、散水ブロック。
【請求項４】
散水ノズル（１５）が前記開閉蓋ないしその周縁に設けられている、請求項３記載の散水ブロック。
【発明の詳細な説明】
【０００１】
【発明が属する技術分野】
この発明は、道路に消・融雪用の水を散水し、あるいは田畑に灌漑用ないし農薬散布用の水を散水するのに用いる散水装置及び当該散水装置を構築するのに用いる散水ブロックに関するものである。
【０００２】
【従来の技術】
道路に雪が積って通行の妨げとなるのを防止するために、道路に融雪水を散水する装置や灌漑水や農薬を田畑に散布するための散水装置は、従来から広く用いられている。この種の散水装置は、地表部に水路を配置し、その水路に沿って散水ノズルを所定間隔で配置することにより、当該水路に沿って融雪水や灌漑水を散水ないし滲出する構造である。
【０００３】
その構造を道路に設けられる融雪用の散水装置を例にして説明すると、道路の中央部に道路に沿って水路を埋設し、この水路から地表部に向けて分岐路を所定間隔で設け、各分岐路の上端に散水ノズルを設ける。不透水性の道路であれば、散水ノズルの先端は地表面に臨出しており、各散水ノズルから２方向ないし４方向に融雪水が斜め上方を向けて噴射されるようになっている。また、透水舗装をした道路であれば、散水ノズルは道路表面の透水層内に開口し、この散水ノズルから透水層の空隙へと融雪水が滲み出すように流れる。道路に降る雪は、道路面や透水層内を流れる融雪水によって溶融し、散水された水と共に側溝に集められて排水される。
【０００４】
気温が低いときに路面に散布した融雪水が凍結するのを防止するために、あるいは融雪水の氷点を下げて雪温との温度差を大きくして少ない水量で消融雪を行うために、融雪水に塩化カルシウムや塩化ナトリウムなどを溶解した塩水を用いることがある。塩水を散水するときは、水路に融雪水を供給する水源部に薬剤容器を設け、この容器内の薬剤を水路に送り込む水に一定量ずつ供給する添加装置ないし混合装置を設けている。
【０００５】
灌漑用の散水装置で田畑に農薬などを散布するときも、当該灌漑水中に農薬を混合する装置を水源部に設け、ポンプから水路へと送り込まれる水に所望の農薬を農薬タンクから添加するようにしている。
【０００６】
【発明が解決しようとする課題】
融雪水や灌漑水に塩や農薬を添加する従来の散水装置は、水源部に薬剤のタンクや当該薬剤を水に溶解するための装置を必要とし、設備が高価になるという問題があった。
【０００７】
また、道路への散水においては、水に錆が含まれていると路面に錆が付着して美感を害するため、錆除去装置を設けるのが望ましいが、そのような装置を設けると設備負担が増大するばかりでなく、水路内で生じた錆や水垢は除去することができない問題があった。特に透水舗装層内への散水では、水垢が透水層の空隙に詰まって透水性能を劣化させる問題があった。
【０００８】
更に、従来方法の農薬の散布においては、農薬を交換するのに手数がかかるばかりでなく、１本の水路に沿う田畑には同一の農薬を同時に散布することしかできず、例えば水路に沿う田畑に異なる種類の作物が栽培されている場合などに、各作物毎に異なった農薬を散布するということも不可能であった。
【０００９】
この発明は、上記のような従来手段の問題点を解決するためになされたもので、簡単な構造及び作業で、必要なときに必要な箇所に所望の薬剤を添加した水を散水することができる散水装置及び当該装置を設置するのに用いる散水ブロックを提供することを課題としている。
【００１０】
【課題を解決するための手段】
この発明では、散水装置の水路３から各散水ノズル１５へと枝分れした分岐路５の途中、特に好ましくは散水ノズル１５の直近の位置に、開閉蓋１４を備えた空所１２を設けた散水装置及び当該散水装置を構築するのに用いる散水ブロックを提供することにより、上記課題を解決している。
【００１１】
すなわち、本願請求項１の発明に係る散水装置は、水路３の延在方向に所定間隔を隔てて配置された複数の散水ノズル１５を備えた散水装置において、前記水路と散水ノズルとの間に開閉蓋１４を備えた空所１２が設けられているものである。
【００１２】
また本願請求項３の発明に係る散水ブロックは、長手方向に貫通する水路３と、この水路から分岐する分岐路５と、この分岐路先端の散水ノズル１５とを備えた散水ブロックにおいて、前記分岐路に上面がブロック上面に開口する空所１２が形成され、この空所を密閉する開閉蓋１４を備えている。
【００１３】
散水される水に薬剤を添加しないときは、空所１２には何も入れない。薬剤を混入するときは、空所１２内に所望の薬剤を充填して散水を行う。薬剤を空所１２の内法寸法に応じた外形のカートリッジや袋に予め入れておけば、当該カートリッジや袋を空所１２に挿入するだけで、当該薬剤を散水に添加できる。前記カートリッジや袋には、封入する薬剤の溶解されやすさに応じた通水性の付与や通水孔の穿設をすることができ、それによって散水中への薬剤の溶解割合も調整できる。
【００１４】
また、散水中の水垢や錆を除去するときは、空所１２にフィルタを挿入する。例えばスポンジ状のフィルタを空所１２に充填すれば、散水ノズル１５の直前で散水中の錆や水垢を除去することができる。更に空所１２にフィルタと薬剤とを充填すれば、散水中の不純物の除去と必要な薬剤の添加とを同時に行うことができる。空所１２に充填するフィルタや薬剤の交換は、開閉蓋１４を開いて簡単に行うことができ、また、空所１２に充填するフィルタや薬剤の種類を異ならせることができるので、各散水区域ごとに異なる種類の薬剤を添加したり、一部の散水区域にのみ薬剤を添加するなどの処理も可能で、無駄な薬剤の消費や環境負荷を防止することができる。
【００１５】
請求項２及び請求項４の発明は、上記構造の散水装置又は散水ブロックにおいて、散水ノズル１５が開閉蓋１４ないしその周縁に設けられていることを特徴とするものである。
【００１６】
散水ノズル１５を開閉蓋１４に設ける構造や、散水ノズル１５を開閉蓋１４と空所１２の周壁との間に形成する構造は、開閉蓋１４を取り外すことによって散水ノズル１５の清掃や交換を容易に行うことができるという特徴がある。
【００１７】
【発明の実施の形態】
以下、図面を参照して、この発明の実施形態を説明する。図１は、この発明の散水装置に用いる散水ブロック１の一例を示した斜視図で、左右対称な不等辺八角形断面の細長いコンクリートブロックの中心にパイプ２が埋設されて、ブロックを長手方向に貫通する水路３が形成されている。ブロックの上部には、平面形状がブロックの長手方向に細長い矩形の膨出部４が所定間隔で形成されている。
【００１８】
図２の部分断面図に示すように、膨出部４の中央には、水路３から枝分れした分岐路５が立ち上がっており、その上端に流量調整弁１１が膨出部４の中央上端に埋め込まれた状態で、設けられている。流量調整弁１１の両側には、膨出部４の上面に開口する平面矩形の空所１２が形成されており、流量調整弁１１の二次側（吐出側）水路１３が、この空所１２の底面に開口している。
【００１９】
図３の部分斜視図に示すように、空所１２には、それぞれを密閉する着脱自在な開閉蓋１４が設けられており、この開閉蓋の外側両隅に対角方向斜め上方を向いたノズル孔１５が設けられている。空所１２への開閉蓋１４の固定構造は、公知の種々の構造が採用可能である。例えば、開閉蓋１４の外側壁に設けたピン１６を空所１２の外側内壁に埋設いたインサート１７の孔に係止し、内側辺部分でブロックに埋設したナット１８に皿ねじ１９で締結する構造などが採用可能である。開閉蓋１４と空所１２の周壁との間には、空所１２を密封するためのパッキンなどを適宜装着して、開閉蓋１４を固定する。
【００２０】
上記の散水ブロック１は、膨出部４の上面を路面に露出させた状態で、道路の中央線に沿って埋設され、ブロック１を連設して長く延びた水路３の一端には、水ポンプが接続される。開閉蓋１４を装着した状態で水路３に水を供給すると、各分岐路毎に流量調整弁１１で調整された量の水が空所１２へ流入し、ノズル孔１５から道路上に散水される。散水される水に塩を溶融して氷点を下げようとするときは、空所１２に固形の塩化カルシウムや塩化ナトリウムを充填して、開閉蓋１４を固定する。この状態で空所１２を通過する水に充填した塩が溶解してノズル孔１５から散水されることになる。散水される水に溶解する塩の量は、前述したように、固形の塩を封入したカートリッジや袋の通水性を調整することによって、調整することができる。
【００２１】
以上の例は、融雪水を路面上に散水する場合の例であるが、透水舗装の透水層に融雪水を散水するときは、開閉蓋１４と空所１２の周壁上面の隙間から水が横方向に流出するように、空所１２と開閉蓋１４との間にノズル孔１５を形成する構造を採用することができる。このような場合に、空所１２にスポンジ状のフィルタ材を充填しておけば、水路３や分岐路５で発生した錆や水垢が空所１２内のフィルタ材で除去されるので、錆によって路面が変色したり、水垢によって透水層の空隙が目詰まりを起こすのを防止できる。
【００２２】
図４、５は、そのような構造の一例を示した図で、平面視で円形の膨出部４に流量調整弁１１を中心としてリング状の空所１２を形成し、この膨出部４の上面全体を覆う開閉蓋１４と膨出部４の周縁部上面との間に放射状のノズル孔１５が形成されるようにしたもので、流量調整弁１１の二次側の水は、リング状の空所１２の内周壁２１の下端部から空所１２内に流入するようにしてある。空所１２に流入した水は、空所１２を放射方向斜めに横切って流れ、外周壁上端のノズル孔１５から透水層３１内へと横方向に滲出する。
【００２３】
【発明の効果】
以上説明したこの発明の散水装置によれば、水に融点降下剤や農薬などの薬剤を溶解したいとき、その薬剤を各散水ノズルの上流部分に設けた空所に充填するだけでよく、設備が安価になると共に、例えば凍結しやすい山陰の部分の散水にのみ融点降下剤を溶解するというように、必要な区間にのみ所要の薬剤の添加をすることが可能になり、無駄な薬剤の使用を防止することができるから、経済的であると共に、環境への影響も最小限にできる。
【００２４】
また、空所にフィルタを挿入することによって、錆や水垢などの異物を除去することができ、田畑への農薬等の散布においても、農薬の種類や濃度を区域毎に細かく調整できるという効果がある。
【図面の簡単な説明】
【図１】散水ブロックの斜視図
【図２】図１のブロックの散水ノズル部分の断面図
【図３】空所の一方の開閉蓋を取り外した状態で示す散水ノズル部分の斜視図
【図４】第２実施例の散水ブロックにおける散水ノズル部分の斜視図
【図５】図４の断面図
【符号の説明】
３  水路
５  分岐路
１２  空所
１４  開閉蓋
１５  散水ノズル
【図１】
2005016018.tif 000003
【図２】
2005016018.tif 000004
【図３】
2005016018.tif 000005
【図４】
2005016018.tif 000006
【図５】
2005016018.tif 000007